(57)【要約】【課題】  タッチパネル付きの表示部の無駄な電力消費を節減する。【解決手段】  表示部（１１６）は液晶表示パネル（１１８）と、バックライト（１２０）及びタッチパネル（１２２）を具備し、カメラ本体に対して起立可能である。姿勢センサ（１２８）は、カメラ本体の姿勢を検知する。撮影画像をカメラ本体の姿勢に応じて回転して記録する回転記録モードでない場合で、姿勢センサ〔１２８〕が逆さ姿勢を示すとき、システム制御部（１０６）は、表示部（１１６）のバックライト（１２０）を消灯又は低輝度に制御する。【選択図】  図１
2015103981.tif 000002
【特許請求の範囲】
【請求項１】
表示手段と、
装置本体の姿勢を検知する姿勢検知手段と、
撮影画像をそのままの向きで記録する記録モードか、撮影画像を前記姿勢に応じて回転して記録する回転記録モードを設定する設定手段と、
前記記録モードが設定されている状態で前記姿勢検知手段が逆さ姿勢を示す場合に、前記表示手段を省電力動作に制御する制御手段
とを有することを特徴とする撮像装置。
【請求項２】
前記制御手段は、前記記録モードが設定されている状態で前記姿勢検知手段が逆さ姿勢を示してから所定時間、無操作の場合に、前記表示手段を省電力動作に制御する請求項１に記載の撮像装置。
【請求項３】
前記制御手段は、前記表示手段の省電力動作への制御から第２の所定時間、無操作の場合に、電源をオフにすることを特徴とする請求項１又は２に記載の撮像装置。
【請求項４】
前記表示手段は、前記装置本体に対して収納位置と起立位置の間で移動可能であることを特徴とする請求項１ないし３の何れか１項に記載の撮像装置。
【請求項５】
前記制御手段は、前記記録モードが設定されている状態で前記姿勢検知手段が逆さ姿勢を示し、且つ、前記表示手段が前記収納位置にある場合に、前記表示手段を省電力動作に制御することを特徴とする請求項４に記載の撮像装置。
【請求項６】
前記表示手段は、前記装置本体の上面に配置されていることを特徴とする請求項４又は５に記載の撮像装置。
【請求項７】
前記制御手段は、撮影中は前記表示手段を省電力動作に制御しないことを特徴とする請求項１ないし６の何れか１項に記載の撮像装置。
【請求項８】
前記省電力動作が、前記表示部の照明の消灯と低輝度化の何れかであることを特徴とする請求項１ないし７の何れか１項に記載の撮像装置。
【請求項９】
前記回転記録モードが、前記姿勢検知手段の検知結果に応じて、第１の姿勢である場合には前記撮像手段で撮像された画像を回転することなく記録し、前記第１の姿勢と逆さまの第２の姿勢である場合には前記撮像手段で撮像された画像を回転して記録するモードであることを特徴とする請求項１ないし８の何れか１項に記載の撮像装置。
【請求項１０】
表示手段と、
装置本体の姿勢を検知する姿勢検知手段と、
撮影画像をそのままの向きで記録する記録モードか、撮影画像を前記姿勢に応じて回転して記録する回転記録モードを設定する設定手段
とを有する撮像装置を制御する方法であって、
前記記録モードが設定されている状態かどうか、及び、前記姿勢検知手段が逆さ姿勢を示すかどうかを判定するステップと、
前記記録モードが設定されている状態で前記姿勢検知手段が逆さ姿勢を示す場合に、前記表示手段を省電力動作に制御するステップ
とを有することを特徴とする撮像装置の制御方法。
【請求項１１】
コンピュータを、請求項１乃至９のいずれか１項に記載される撮像装置の各手段として機能させるためのプログラム。
【請求項１２】
コンピュータを、請求項１乃至９のいずれか１項に記載された撮像装置の各手段として機能させるためのプログラムを格納したコンピュータ読み取り可能な記憶媒体。
【発明の詳細な説明】
【技術分野】
【０００１】
本発明は、撮像装置、その制御方法及びプログラム並びに記憶媒体に関する。
【背景技術】
【０００２】
現在、液晶表示パネル（ＬＣＤ）などの表示装置を搭載した携帯電子機器が広く普及している。この種の携帯電子機器において、消費電力を抑えるための種々の技術が開発されている。
【０００３】
特許文献１には、ＬＣＤの表示面が下向きに置かれた場合には、バックライトを消灯する携帯電話が記載されている。特許文献２には、ＬＣＤの表示面が下向き状態か否かを判断し、表示面の近くに物体が存在しているとき、バックライトを消灯する携帯電話が記載されている。
【０００４】
特許文献３には、縦位置で撮影する場合にはフレーミングアシスト用の構図フレームを表示し、その状態で撮影した場合には画像を９０度又は２７０度回転した状態で記録するデジタルカメラが記載されている。
【先行技術文献】
【特許文献】
【０００５】
【特許文献１】特開２００６−１０１３３１号公報
【特許文献２】特開２０１２−２５７１２９号公報
【特許文献３】特開２００４−２０８０９６号公報
【発明の概要】
【発明が解決しようとする課題】
【０００６】
特許文献１に記載の技術は、タッチパネルを併用する装置には適用できない。具体的には、表示面が下向きに置かれた状態でバックライトを消灯すると、その下向き状態ではユーザはタッチ操作すべき箇所を視認できず、結果的に適切なタッチ操作ができなくなってしまう。
【０００７】
特許文献２に記載される近接センサを設け、物体の接近によりバックライトを点灯することで、タッチ操作の目標を視認できるようになるが、近接センサによりコストが増大し、回路規模も大きくなってしまう。
【０００８】
本発明は、このような不都合を解消する撮像装置、その制御方法及びプログラム並びに記憶媒体を提示することを目的とする。
【課題を解決するための手段】
【０００９】
上記目的を達成するために、本発明に係る撮像装置は、表示手段と、装置本体の姿勢を検知する姿勢検知手段と、撮影画像をそのままの向きで記録する記録モードか、撮影画像を前記姿勢に応じて回転して記録する回転記録モードを設定する設定手段と、前記記録モードが設定されている状態で前記姿勢検知手段が逆さ姿勢を示す場合に、前記表示手段を省電力動作に制御する制御手段とを有することを特徴とする。
【発明の効果】
【００１０】
本発明によれば、コストの増大を抑えながらも、ユーザの利用状況に応じてより効果的に消費電力を抑えることができる。
【図面の簡単な説明】
【００１１】
【図１】本発明の一実施例の概略構成ブロック図である。
【図２】本実施例の外観斜視図である。
【図３】本実施例の動作フローチャートである。
【発明を実施するための形態】
【００１２】
以下、図面を参照して、本発明の実施例を詳細に説明する。
【実施例１】
【００１３】
図１は、本発明に係る撮像装置の一実施例の概略構成ブロック図を示す。
【００１４】
本発明の一実施例であるデジタルカメラ１００の映像・音声入力部１０２は、被写体の光学像を画像信号に変換する撮像部と、外部の音声を取り込むマイクとを具備する。映像・音声信号処理部１０４は、映像・音声入力部１０２からの映像信号と音声信号に所定の処理を施し、処理後の映像データ及び音声データをシステム制御部１０６のデジタル信号処理部１０８に入力する。
【００１５】
システム制御部１０６は、ＲＯＭ（又は不揮発性メモリ）１１０に格納されるプログラムをＲＡＭ１１２に読み込み、このプログラムに従って各部を制御すると共にデジタル信号処理部１０８を動作させる。ＲＡＭ１１２は、システム制御部１０６で動作するプログラムのワークエリアとしても使用される。
【００１６】
デジタル信号処理部１０８は、映像・音声信号処理部１０４からの映像・音声データを記録用に処理して記録再生部１１４に供給し、表示用の映像データを生成してタッチパネル付き表示部１１６の液晶表示パネル（ＬＣＤ）に印加する。デジタル信号処理部１０８はまた、映像・音声信号処理部１０４からの映像データにフォーマット変換及び画像回転等の画像処理を必要により施すことが出来る。システム制御部１０６は、種々のメニュー画像、ボタン及びアイコン等を液晶表示パネル１１８に表示させることができる。
【００１７】
タッチパネル付き表示部１１６は、バックライト１２０が液晶表示パネルを照明するバックライト１２０と、液晶表示パネル１１８の画像表面に配置されたタッチパネル１２２を具備する。タッチパネル１２２は、ユーザのタッチ操作に対してその二次元位置座標をシステム制御部１０６に供給する。
【００１８】
電源回路１２４は、システム制御部１０６の制御に従い、タッチパネル付き表示部１１６、特にバックライト１２０に必要な電力を供給する。
【００１９】
システム制御部１０６には更に、電源スイッチ１２６、姿勢センサ１２８及びタイマ１３０が接続する。電源スイッチ１２６がオンになると、システム制御部１０６は、各部を設定モードで起動する。姿勢センサ（姿勢検知手段）１２８は加速度センサ又はジャイロセンサからなり、カメラ１００の本体（筐体）の姿勢を常時又は間欠的に検知し、検知結果をシステム制御部１０６に供給する。姿勢センサ１２８として加速度センサを用いた場合、システム制御部１０６は、加速度センサの出力から重力加速度の向き、従ってカメラ１００の姿勢を検出できる。タイマ１３０は現在日時を計時するリアルタイムクロックを内蔵し、現在日時情報をシステム制御部１０６に供給する。
【００２０】
向きセンサ１３２は、表示部１１６の本体２０１に対する向き又は位置を検知してシステム制御部１０６に通知する。システム制御部１０６は、向きセンサ１３２の検知出力により、表示部１１６の位置（後述する収納位置、後向き位置及び前向き位置）を判別できる。
【００２１】
図２は、本実施例の外観図を示す。図２（ａ）は、表示部１１６の表示画面を上向き（又は外向き）に折り畳んだ収納状態を示す。図２（ｂ）は、表示部１１６を起立させ、表示画面を背面方向に向けた状態を示す。図２（ｃ）は、カメラ１００を上下反転した（逆さ姿勢にした）状態を示す。図２（ｄ）は、表示部１１６を起立させつつ、表示画面を被写体側に向けた状態を示す。表示部１１６は、図２（ａ）に示す収納位置、図２（ｃ）に示す起立位置及び図２（ｄ）に示す起立位置との間で移動可能である。
【００２２】
デジタルカメラ１００は、筐体（本体又は装置本体）２０１の前面に撮影レンズ２０２を有し、背面側に表示部１１６が２つの水平軸Ａ，Ｂを両端に持つリンク機構により折畳み可能及び表示画面を前向きと後向きに変更可能に支持されている。すなわち、リンク機構の一端が表示部１１６の背面中央に軸Ａを中心に回動可能に結合し、リンク機構の他端が筐体２０１の上面と背面の角部に軸Ｂを中心に回動可能に結合する。この２軸リンク機構により、表示部１１６は、筐体２０１に対し、図２（ａ），（ｂ），（ｄ）に示す位置を取ることが出来る。水平軸Ａ，Ｂを構成する結合部には、向きセンサ１３２を構成する、表示部１１６の位置を検出するセンサをそれぞれ組み込んである。なお、図２（ａ）に示す収納状態で、表示画面の左上を原点２０３（Ｘ座標＝０、Ｙ座標＝０）としている。
【００２３】
カメラ１００、具体的には筐体２０１の姿勢に関しては、図２（ａ）に示す状態を正姿勢とし、図２（ｂ）に示すように図２（ａ）から反転した状態を逆さ姿勢と呼ぶ。図２（ａ）に示す正姿勢では、例えば直立した人物を正立で撮像し、図２（ｂ）に示す逆さ姿勢では、天地逆に撮像することになる。表示部１１６を下向きとした逆さ姿勢では、表示部１１６の表示画面が下を向くことになる。この状態で机等に置かれた場合、撮影者は表示画面を視認できないが、三脚ねじ穴などに固定して天井などに設置された場合は、下から表示画面を視認できる。
【００２４】
表示部１１６を筐体２０１に密着させた収納状態又は収納位置（図２（ａ））から軸Ｂを中心に表示部１１６を９０度程度起立させると、図２（ｃ）に示す起立位置（後向き状態又は後向き位置）になる。カメラ１００を手に持った撮影者が被写体の構図を表示画面で確認できる位置であり、表示部１１６は、いわゆる背面モニタとして使用される。
【００２５】
図２（ｃ）に示す状態から、軸Ａを中心に表示画面が被写体に向くように表示部１１６を回転すると、図２（ｄ）に示す起立位置（前向き状態又は前向き位置）になる。図２（ｄ）に示す状態では、被写体側から撮像の構図を表示画面で確認できる。いわゆる自分撮りに利用される位置であり、表示部１１６は、いわゆる対面モニタとして使用される。
【００２６】
表示部１１６の位置に関して、図２（ａ）に示す位置を収納位置と呼び、図２（ｂ）に示す位置を後向き位置と呼び、図２（ｄ）に示す位置を前向き位置と呼ぶ。後向き位置では、原点２０３が表示画面の左上に位置するのに対し、前向き位置とでは原点２０３が右下に位置し、表示画像は、後向き位置のそれとは上下左右が反転する。システム制御部１０６は、向きセンサ１３２の出力により表示部１１６が収納位置、後向き位置及び前向き位置のどの位置にあるかを判別できる。デジタル信号処理部１０８は、映像・音声信号処理部１０４からの画像データを表示部１１６が収納位置又は後向き位置にあるときにはそのまま、前向き位置にあるときには上下左右を反転して、表示用画像を生成し、液晶表示パネル１１８に供給する。上下左右反転処理と１８０度回転処理では、同じ結果が得られる。
【００２７】
図３は、本実施例の動作フローチャートである。図３を参照して、本実施例の特徴的な動作を説明する。システム制御部１０６は、図３に示すフローチャートで代表されるプログラムをＲＯＭ１１０からＲＡＭ１１２にロードして実行する。
【００２８】
Ｓ３０１で、システム制御部１０６は、ユーザのタッチパネル１２２の操作により回転記録設定（オン／オフ）の変更操作があるか否かを判定する。回転記録は、筐体２０１を逆さ姿勢にしたときに、撮影画像を正しい向きに補正（回転）して記録するモードである。すなわち、撮影画像を１８０度回転又は上下左右反転して記録するモードである。システム制御部１０６は、回転記録設定の変更操作があった場合（Ｓ３０１）、Ｓ３０２に進み、回転記録設定の変更操作が無い場合、Ｓ３０３に進む。
【００２９】
Ｓ３０２では、システム制御部１０６は、ユーザの操作に従った回転記録設定に変更して、Ｓ３０３に進む。
【００３０】
Ｓ３０３では、システム制御部１０６は、ユーザがタッチパネル１２２の操作により動画の撮影開始操作が行われたか否かを判定する。システム制御部１０６は、撮影開始操作が行われた場合、Ｓ３０４に進み、撮影開始操作が行われない場合は、Ｓ３０９に進む。
【００３１】
Ｓ３０４ではシステム制御部１０６は、回転記録設定がオンか否かを判定する。システム制御部１０６は、回転記録設定がオンの場合、Ｓ３０５に進み、回転記録設定がオフの場合、Ｓ３０７に進む。
【００３２】
Ｓ３０５では、システム制御部１０６は、姿勢センサ１２８の出力値によりカメラ１００（筐体２０１）の姿勢を検知し、逆さ姿勢であるか否かを判定する。システム制御部１０６は、逆さ姿勢の場合、Ｓ３０６に進み、逆さ姿勢でない場合、Ｓ３０７に進む。
【００３３】
Ｓ３０６では、システム制御部１０６は、映像・音声信号処理部１０４から送られる画像データをデジタル信号処理部１０８により１８０°回転し、記録再生部１１４に供給する。記録再生部１１４は、デジタル信号処理部１０８からの画像データを所定フォーマットで記録する。デジタル信号処理部１０８はまた、映像・音声信号処理部１０４から送られる画像データをそのままの画像の向きで表示用画像データを生成し、液晶表示パネル１１８に供給する。液晶表示パネル１１８は、デジタル信号処理部１０８からの画像データを画像表示する。これにより、デジタルカメラ１００を回転させて撮影しても、被写体を正しい向きで記録できる。
【００３４】
Ｓ３０７では、システム制御部１０６のデジタル信号処理部１０８は、映像・音声信号処理部１０４から送られる画像データを、そのままの画像向きで記録再生部１１４に供給する。記録再生部１１４は、デジタル信号処理部１０８からの画像データを所定フォーマットで記録する。デジタル信号処理部１０８はまた、映像・音声信号処理部１０４から送られる画像データをそのままの画像の向きで表示用画像データを生成し、液晶表示パネル１１８に供給する。液晶表示パネル１１８は、デジタル信号処理部１０８からの画像データを画像表示する。これにより、撮影画像がカメラ１００の回転に応じたそのままの向きで記録され、表示される。
【００３５】
Ｓ３０８では、システム制御部１０６は、ユーザがタッチパネル１２２の操作により撮影停止操作を行ったか否かを判定する。撮影停止操作が行われた場合、システム制御部１０６は、撮影記録を停止してＳ３０３に戻る。撮影停止操作が行われない場合、システム制御部１０６は、Ｓ３０４に戻る。
【００３６】
ステップＳ３０４〜Ｓ３０８で示すように、システム制御部１０６は、動画撮影中では、表示部１１６を低消費電力動作させない。
【００３７】
Ｓ３０９では、システム制御部１０６は撮影を待機し、撮像部で撮像されているライブビュー画像を液晶表示パネル１１８に表示する。
【００３８】
Ｓ３１０では、システム制御部１０６は、姿勢センサ１２８の出力値により筐体２０１の姿勢を検知し、逆さ姿勢か否かを判定する。システム制御部１０６は、逆さ姿勢の場合、Ｓ３１１に進み、逆さ姿勢でない場合、Ｓ３０１に戻る。
【００３９】
Ｓ３１１では、システム制御部１０６は、回転記録設定がオンか否かを判定する。システム制御部１０６は、回転記録設定がオンの場合は、Ｓ３０１に戻り、回転記録設定がオフの場合、Ｓ３１２に進む。
【００４０】
Ｓ３１２では、システム制御部１０６は、タイマ１３０の出力によりタッチパネル１２２の操作されていない時間を計測する。システム制御部１０６は、タッチパネル１２２が所定時間、操作されなかった場合、Ｓ３１３に進み、所定時間内にタッチパネル１２２が操作された場合、Ｓ３０１に戻る。タッチパネル無操作の時間は、任意に設定可能である。
【００４１】
Ｓ３１３では、システム制御部１０６は、電源回路１２４を制御し、表示部１１６のバックライト１２０を消灯する。バックライト１２０の消灯に代えて、その輝度を低減してもよい。加えて、液晶表示パネル１１８の表示も非表示としてもよい。さらに加えて、撮像部でのライブビュー画像の撮像を停止しても良い。ただし、何れの場合も、タッチパネル１２２は、通電されており、ユーザのタッチ位置を検出できる。
【００４２】
Ｓ３１４では、システム制御部１０６は、タッチパネル１２２に対するタッチ操作の有無を判定する。システム制御部１０６は、タッチパネル１２２の操作が行われた場合、Ｓ３１５に進み、タッチパネル１２２の操作が行われない場合、Ｓ３１６に進む。
【００４３】
Ｓ３１５では、システム制御部１０６は、電源回路１２４を制御し、表示部１１６内のバックライト１２０を点灯又はその輝度を復帰し、液晶表示パネル１１８でのライブビュー表示を再開する。
【００４４】
Ｓ３１６では、システム制御部１０６は、オートパワーオフ設定がオンか否かを判定する。オートパワーオフとは、一定時間の無操作に対してデジタルカメラ１００の電源を自動でオフにする機能である。システム制御部１０６は、オートパワーオフ設定がオンの場合、Ｓ３１７に進み、オートパワーオフ設定がオフの場合、Ｓ３１４に戻る。
【００４５】
Ｓ３１７では、システム制御部１０６は、タイマ１３０の出力を参照して、オートパワーオフするまでの時間（オートパワーオフ時間）が経過したか否かを判定する。オートパワーオフ時間は、例えば１分というように、任意に設定可能である。オートパワーオフ時間は、Ｓ３１２で判定するタッチパネル無操作を判定する時間とは別に設定される。システム制御部１０６は、オートパワーオフ時間が経過した場合、Ｓ３１８に進み、経過していない場合、Ｓ３１４に戻る。
【００４６】
Ｓ３１８では、システム制御部１０６は、デジタルカメラ１００の電源をオフにして、図３に示すフローを終了する。
【００４７】
なお、タッチパネル無操作の判定（Ｓ３１２）は、省略しても良い。
【００４８】
このように、本実施例では、デジタルカメラ１００が逆さ姿勢であり（Ｓ３１０）、回転記録モードがオフである（Ｓ３１１）ことを条件として、表示部１１６の電力消費を節減する（Ｓ５１３）。その後のタッチ操作（Ｓ３１４）で表示部１１６によるライブビュー表示を復活するので（Ｓ３１５）、タッチパネル１２２の操作には支障ない。
【００４９】
デジタルカメラ１００が逆さ姿勢であることだけの条件で表示部１１６を省電力動作させないのは、逆さ姿勢であっても回転撮影がオンである場合にはユーザが意図的にデジタルカメラ１００を逆さ姿勢で使用している可能性が高いからである。逆に、デジタルカメラ１００が逆さ姿勢であり、回転撮影がオフである場合、ユーザは、表示部１１６の表示画面を見ていない可能性が高いので、表示部１１６を省電力動作させる。例えば、電源を消すのを忘れたまま表示部１１６の表示面が机や床に面した状態（図２（ｂ））で置かれている状況が考えられる。この場合、逆さ姿勢でかつ回転撮影がオフであることを条件に表示部１１６を節電状態にすることで、より効果的に電力の浪費を防ぐことができる。また、回転撮影がオンで、逆さ姿勢である場合に撮影画像を１８０度回転するためには、姿勢センサ１２８があればよく、表示部１１６の使用状態を検知する手段は不要である。従って、本実施例の特徴的な動作のために追加的な部材が必要になることはなく、コストの増加を抑えることができる。
【００５０】
電源を消すのを忘れたまま表示部１１６の表示画面が机や床に面した状態で置かれている状況をより正確に判別するために、表示部１１６が収納状態にあることを表示部１１６の消灯条件に追加しても良い。例えば、Ｓ３１１で回転記録がオンの場合（Ｙｅｓ）に表示部１１６が収納位置かどうかを調べ、収納位置にあるときにはＳ３１２に進み、収納位置に無いときにはＳ３０１に戻るようにする。
【００５１】
システム制御部１０６により実行される機能は、単一のハードウエアで実現してもよいし、協調動作する複数のハードウエアにより実現しても良い。
【００５２】
また、本発明をその好適な実施例に基づいて詳述してきたが、本発明はこれら特定の実施例に限られるものではなく、この発明の要旨を逸脱しない範囲の様々な形態も本発明に含まれる。さらに、上述した各実施例は本発明を説明するための例を示すものにすぎず、各実施例を適宜組み合わせることも可能である。
【００５３】
本発明をデジタルカメラに適用した実施例を説明したが、本発明は、動画又は静止画を撮影する撮像装置であって、正立姿勢の撮影と逆さ姿勢の撮影を選択でき、タッチパネル付き表示装置を有する撮像装置一般に適用可能である。パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダなどに本発明に係る撮像装置を組み込むことが出来る。
【００５４】
本発明は、以下の処理を実行することによっても実現される。即ち、上述した実施例の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶したコンピュータ読み取り可能な記憶媒体は本発明を構成することになる。
【図１】
2015103981.tif 000003
【図２】
2015103981.tif 000004
【図３】
2015103981.tif 000005